(57)【特許請求の範囲】
【請求項１】
複数の放電ランプへ高周波電力を供給する複数のインバータ部と、各インバータ部の入力端に接続され交流電源から直流電圧を作成し出力する電源部と、リモートコントローラから赤外線等の無線媒体で送信されてくる照明制御信号を受信するリモコン信号受信部及び受信した照明制御信号に応じて前記インバータ部を制御するリモコン制御部を備えるリモコン受信ブロックとを有する照明装置において、複数のインバータ部と電源部を収納したケースカバーの略中間部に電源部を配置し、複数のインバータ部を電源部の周辺部に分割して配置し、前記リモコン受信ブロックを前記ケースカバーの上方で且つ前記ケースカバーの略中間部に配置された前記電源部の上方に配置したことを特徴とする照明装置。
【請求項２】
請求項１において、インバータ部のみをユニット化し、インバータ部の入力端および出力端に設けた接続手段にて電源部が実装されたプリント基板からインバータ部が実装されたプリント基板ユニットを着脱可能としたことを特徴とする照明装置。
【請求項３】
請求項１または２のいずれかにおいて、前記リモコン受信ブロックの照明器具セード側に対向する面を曲面にしたことを特徴とする照明装置。
【請求項４】
請求項１〜３のいずれかにおいて、前記リモコン受信ブロックにケースカバーの上方へリモコン受信ブロックを配置するための脚部を設けたことを特徴とする照明装置。
【請求項５】
請求項１〜４のいずれかにおいて、照明装置は豆球を備え、前記リモコン受信ブロックに備えられた赤外線リモコン信号受信部を前記豆球から照射される赤外線による照明制御信号の受信不具合を生じない程度に前記豆球から離れたリモコン受信ブロック上に配置したことを特徴とする照明装置。
【請求項６】
請求項５において、照明装置は豆球点灯回路を備え、この豆球点灯回路に、電源部に備えられた過電流保護素子よりも低い電流値で動作する過電流保護素子を設けたことを特徴とする照明装置。
【請求項７】
請求項５において、豆球用受口金の周囲部に豆球用受口金より背の高い絶縁部品を配置したことを特徴とする照明装置。
【請求項８】
請求項１〜７のいずれかに記載の照明装置と複数の放電ランプを備えることを特徴とする照明器具。
【発明の詳細な説明】
【０００１】
【産業上の利用分野】
本発明は、複数の放電ランプをそれぞれインバータ部から供給される高周波電力により点灯させる照明装置に関するものである。
【０００２】
【従来の技術】
従来、複数の放電ランプと、各放電ランプへ高周波電力を供給する複数のインバータ部と、各インバータ部の入力端に接続され交流電源から直流電圧を作成し出力する電源部とを備えた照明装置の一例として、図２８及び図２９に示すようなものがある。図２８は従来の照明装置のプリント基板上の部品配置を示したものであり、図２９は図２８の照明装置を照明器具に備えたときの結線状態の略図である。以下、各図について説明する。
【０００３】
まず、図２８はプリント基板１に実装される各部品の配置を示しており、大別して交流電源２から直流電圧を出力する電源部３と、交流電源２と電源部３を接続する電源入力端子部２０と、各放電ランプへ個別に高周波電力を供給する複数のインバータ部４とで構成されている。上記のように、複数の放電ランプに対して個別にインバータ回路を設けることにより、例えば、一方の放電ランプが寿命末期等の原因により不点灯となっても、他方の放電ランプは何等影響を受けずに、インバータ回路によって点灯させることができるから、照明装置全体が不点灯になることが無いという特徴を有している。
【０００４】
図２８の照明装置は、５本の放電ランプを点灯させるものであり、インバータ部４には各ランプを個別に点灯させるために、５個のインバータ回路が備えられている。インバータ部４を構成するための代表的な部品として、発振チョーク５、共振チョーク６、共振コンデンサ７、スイッチング素子８、制御部９が各５個ずつある構成となっており、５本の放電ランプを個別に点灯している。各放電ランプはプリント基板１に設けられた速結端子１０〜１５に接続され、インバータ部４から高周波電力を供給される。なお、速結端子１０は各ランプすべてに接続され、速結端子１１〜１５はそれぞれ放電ランプ２１〜２５に接続される。電源部３は照明器具に別付けされている切替スイッチ部１７を介して交流電源２と接続されており、放電ランプの点灯、調光点灯、消灯の切替えを切替スイッチ部１７の操作にて行えるようになっている。速結端子１６は放電ランプを調光点灯させるための信号を切替スイッチ部１７から受けるために設けられている。なお、切替スイッチ部１７は、一般には引き紐を引っ張ることにより点灯モードが切り替わるプルスイッチや、リモートコントローラから送信される照明制御信号を受信するリモコン信号受信部と、リモコン信号受信部にて受信したリモートコントロール信号に基づいて放電ランプの点灯、消灯及び調光点灯を行うリモコン制御部とからなるリモコン受信ブロックなどで構成される。
【０００５】
図２９は、図２８の照明装置が照明器具に備えられたときの結線図を示したものである。照明装置１８は、図２８に示したプリント基板１を金属ケース内に収めたものである。交流電源は電源プラグ１９に接続され、電源線３１、３２、調光線３３を備えた切替スイッチ部１７の操作に応じて照明装置１８に交流電源が供給される。なお、電源線３２は照明装置１８の電源入力端子部２０に接続され、調光線３３は速結端子１６に接続される。放電ランプ２１〜２５は図２９のように照明器具に配置されており、各ランプは照明器具に備えられたランプソケット４１〜５０にて固定されており、ランプソケット４１と４６、４２と４７、４３と４８、４４と４９、４５と５０はそれぞれ照明器具に備えられた予熱始動用のコンデンサ２６〜３０を介して結線されている。速結端子１０にて接続された各ランプ共通のランプ線５１は各ランプソケット４１〜４５に接続され、速結端子１１〜１５に接続されたランプ線５２〜５６はそれぞれランプソケット４６〜５０に接続されている。以上のように、複数の放電ランプを個別のインバータ部にて点灯制御を行う照明装置のプリント基板上の部品配置及び照明器具の配線は図２８、図２９のような構成になっていた。
【０００６】
また、リモートコントローラから赤外線等の無線媒体で送信されてくる照明制御信号に応じて照明装置の点灯、消灯及び調光点灯を行う照明装置においては、前記切替スイッチ部１７に前記リモコン受信ブロックを配した構成になっていた。
【０００７】
さらに、従来の照明装置では、照明装置の電源部に豆球点灯回路及び豆球を装着するための豆球口金が備えられており、豆球を装着する際には、照明装置の金属ケースに設けられた穴を通してプリント基板に配置された豆球口金に豆球を装着する構成になっていた。また、従来の照明装置においては、電源部と交流電源とを接続するための電源入力端子部は、照明装置の端部に配置される構成になっていた。
【０００８】
【発明が解決しようとする課題】
上記従来例の図２８及び図２９に示されるようなプリント基板上の部品配置及び照明器具配線による構成においては、５本の放電ランプに高周波電力を供給する個々のインバータ回路が図２８のプリント基板の右側に配置されているにもかかわらず、各インバータ回路と各放電ランプを接続するためのランプ線は、放電ランプ２１、２３、２５ではプリント基板の右端に配置された速結端子に、放電ランプ２２、２４ではプリント基板の左端に配置された速結端子にそれぞれ接続される。このため、放電ランプ２２、２４に高周波電力を供給するには、プリント基板のパターン配線を右側に配置されているインバータ回路から左端に配置された速結端子まで引き延ばしてやらねばならず、引き延ばされたパターン配線にインバータ回路や電源部からのノイズが重畳しやすくなり、放電ランプ２１、２３、２５に対し、放電ランプ２２、２４の点灯始動時間がばらつく等の問題が生じる。
【０００９】
また、上記従来例の図２８にあるような複数のインバータ回路がすべてプリント基板の片側に配置される構成においては、各インバータ回路の相互干渉により、インバータ回路が誤動作等を起こし、放電ランプがちらつく等の点灯が不安定となる問題が生じる。また、インバータ回路にはスイッチング素子やチョークコイル等の発熱部品があり、上記従来例にあるような複数のインバータ回路がすべてプリント基板の片側に配置される構成においては、前記発熱部品が一箇所に集めて配置される構成となるため、照明装置の温度上昇が著しくなり、照明装置の寿命低下及び発煙、発火等の問題が生じる。
【００１０】
また、上記従来例にあるリモートコントローラから赤外線等の無線媒体で送信されてくる照明制御信号に応じて照明装置の点灯、消灯及び調光点灯を行うためにリモコン受信ブロックを照明器具に備えた構成においては、照明装置とリモコン受信ブロックを照明器具に配置しなければならず、また、リモコン制御ブロックはリモートコントローラからの照明制御信号を受けやすくするために、照明制御信号を受信するリモコン受信ブロックに備えられたリモコン信号受信部をできるだけ照明器具のセード面に近くなるように高さを設定してやらねばならない。このため、リモコン受信ブロックは大型化してしまい、照明装置とリモコン受信ブロックが照明器具に占める面積の割合はかなり大きくなってしまうという問題が生じる。また、リモコン制御ブロックと照明装置とが照明器具に別付けされることにより照明器具内の配線が複雑化し、照明器具の組立て工程において、非常に手間がかかるという問題も生じる。
【００１１】
また、上記従来例にある照明装置の電源部に豆球点灯回路及び豆球を装着するための豆球口金を有した照明装置において、豆球を豆球口金に装着する際に、豆球を斜め方向に金属ケースの穴へ挿入すると、豆球が金属ケース内に入り込んでしまうという問題が生じる。また、豆球不良あるいは豆球寿命末期等の原因により豆球が短絡しているものを点灯しようとすると、照明装置の電源部に設けられた例えばヒューズのような過電流保護素子の動作により照明装置に交流電源を供給できなくするため、豆球及び放電ランプが不点灯となってしまうという問題も生じる。
【００１２】
また、上記従来例のように、照明装置の電源部と交流電源とを接続するために、照明装置に設けられた電源入力端子部が照明装置の端部に配置される構成においては、照明器具は通常その中央部に、交流電源を接続する電源プラグがあるので、照明装置の端部に配置された電源入力端子部まで電源配線を引き延ばしてやらないといけないため、電源線から発生するノイズや照明器具のコスト上昇等の問題が生じる。
【００１３】
本発明は、上述のような課題を解決しようとするものであり、プリント基板のパターン配線の引き廻しや複数のインバータ回路の相互干渉による各放電ランプの点灯始動時間のばらつき、インバータ回路の誤動作による放電ランプのちらつき等の点灯が不安定となる問題を改善し、且つリモコン受信ブロックを備えた照明装置の小型化及びリモコン制御信号の受信感度の向上を図り、且つ豆球の照明装置ケース内への入り込みや豆球短絡時の放電ランプ不点灯を防止し、且つ照明器具の電源線引き延ばしにより発生するノイズの低減や照明器具のコスト低減を目的とした照明装置を提供しようとするものである。
【００１４】
【課題を解決するための手段】
請求項１の発明は、上記目的を達成するために、複数の放電ランプへ高周波電力を供給する複数のインバータ部と、各インバータ部の入力端に接続され交流電源から直流電圧を作成し出力する電源部と、リモートコントローラから赤外線等の無線媒体で送信されてくる照明制御信号を受信するリモコン信号受信部及び受信した照明制御信号に応じて前記インバータ部を制御するリモコン制御部を備えるリモコン受信ブロックとを有する照明装置において、複数のインバータ部と電源部を収納したケースカバーの略中間部に電源部を配置し、複数のインバータ部を電源部の周辺部に分割して配置し、前記リモコン受信ブロックを前記ケースカバーの上方で且つ前記ケースカバーの略中間部に配置された前記電源部の上方に配置したことを特徴とするものである。
【００１５】
請求項２の発明は、請求項１において、インバータ部のみをユニット化し、インバータ部の入力端および出力端に設けた接続手段にて電源部が実装されたプリント基板からインバータ部が実装されたプリント基板ユニットを着脱可能としたことを特徴とする。
請求項３の発明は、請求項１または２のいずれかにおいて、前記リモコン受信ブロックの照明器具セード側に対向する面を曲面にしたことを特徴とする。
請求項４の発明は、請求項１〜３のいずれかにおいて、前記リモコン受信ブロックにケースカバーの上方へリモコン受信ブロックを配置するための脚部を設けたことを特徴とする。
請求項５の発明は、請求項１〜４のいずれかにおいて、照明装置は豆球を備え、前記リモコン受信ブロックに備えられた赤外線リモコン信号受信部を前記豆球から照射される赤外線による照明制御信号の受信不具合を生じない程度に前記豆球から極力離れたリモコン受信ブロック上に配置したことを特徴とする。
請求項６の発明は、請求項５において、照明装置は豆球点灯回路を備え、この豆球点灯回路に、電源部に備えられた過電流保護素子よりも低い電流値で動作する過電流保護素子を設けたことを特徴とする。
請求項７の発明は、請求項５において、豆球用受口金の周囲部に豆球用受口金より背の高い絶縁部品を配置したことを特徴とする。
請求項８の発明は、請求項１〜７のいずれかに記載の照明装置と複数の放電ランプを備えることを特徴とする照明器具である。
【００１６】
【作用】
請求項１の発明によれば、複数のインバータ部と電源部を収納したケースカバーの略中間部に電源部を配置し、複数のインバータ部を電源部の周辺部に分割して配置し、リモコン受信ブロックを前記ケースカバーの上方で且つ前記ケースカバーの略中間部に配置された前記電源部の上方に配置したので、プリント基板のパターン配線の引き廻しや複数のインバータ回路の相互干渉による各放電ランプの点灯始動時間のばらつき、インバータ回路の誤動作により放電ランプがちらつく等の点灯が不安定となる問題の改善を図ることができ、且つリモコン受信ブロックを備えた照明装置の小型化及びリモコン制御信号の受信感度の向上を図ることができる。
【００１７】
請求項２の発明によれば、インバータ部のみをユニット化し、インバータ部の入力端及び出力端に設けた接続手段にて電源部が実装されたプリント基板からインバータ部が実装されたプリント基板ユニットを着脱可能としたので、容易に照明装置の放電ランプの灯数を変更することができる。
【００１８】
請求項３の発明によれば、リモコン受信ブロックの照明器具セード側に対向する面を曲面にしたので、照明器具セードに現れるリモコン受信ブロックの影を目立たなくすることができる。
【００１９】
請求項６の発明によれば、照明装置に備えられた豆球点灯回路に、電源部に備えられた過電流保護素子より低い電流値で動作する過電流保護素子を設けたので、豆球短絡時における照明装置の電源部に設けられた過電流保護素子の動作により放電ランプが不点灯となることを防止することができる。
【００２０】
請求項７の発明によれば、豆球用受口金の周囲部に豆球用受口金より背の高い絶縁部品を配置したので、豆球の照明装置ケース内への入り込みを防止することができる。
【００２１】
【実施例】
以下、本発明の実施例を図面を参照して説明する。なお、以下の実施例における照明装置の基本回路構成及び照明器具配線は、前記従来例の図２８及び図２９における照明装置と共通であり、図２８及び図２９も参照して本実施例を説明する。本実施例は、照明装置の電源部を照明装置の略中間部に配置し、複数のインバータ部を電源部の周辺部に分割して配置することにより、プリント基板のパターン配線の引き廻しや、複数のインバータ回路の相互干渉による放電ランプの点灯不具合を改善するものである。
【００２２】
図１は照明装置のプリント基板１に実装される各部品配置の平面図を示している。図１において、回路構成は前記従来例の図２８に示した照明装置と共通であり、５本の放電ランプに５個のインバータ回路にて個別に高周波電力を供給する構成になっているが、本実施例では、電源部３をプリント基板１の略中間部に配置し、２個のインバータ回路を備えた二回路インバータ部５７を速結端子１２及び１４が配置されている側に配置し、３個のインバータ回路を備えた三回路インバータ部５８を速結端子１１及び１３及び１５が配置されている側に配置している。
【００２３】
上記構成において、二回路インバータ部５７と三回路インバータ部５８の各部品配置は、電源部３を中心に、制御部９、スイッチング素子８、共振コンデンサ７、発振チョーク５、共振チョーク６、そして各放電ランプとインバータ回路を接続するための各速結端子等、インバータ部を構成する主な部品はほぼ左右対称に構成されている。同様にプリント基板１のパターン配線もほぼ左右対称となるため、パターン配線の引き廻しをすることなく、各インバータ回路からの高周波電力を各放電ランプへ供給することができる。また、複数のインバータ回路をプリント基板１に分割して配置することにより、複数のインバータ回路の相互干渉による各インバータ回路の誤動作等の問題を無くし、且つ、インバータ回路に備えられた発熱部品も分割して配置されるため、各発熱部品の輻射熱による照明装置内部の各部品の温度上昇を低減することができる。
【００２４】
なお、本実施例では５本の放電ランプを５個のインバータ回路にて個別に点灯制御を行う照明装置について述べたが、照明装置の略中間部に電源部を配置し、複数のインバータ部を電源部の周辺部に分割して配置する構成であれば、放電ランプ及びインバータ回路の個数、インバータ回路の回路構成、放電ランプの種類、照明器具の配線状態などは問わないことは言うまでもない。
【００２５】
図２は本発明の第２実施例の照明装置のプリント基板１に実装される各部品配置の平面図を示している。本実施例は、照明装置の略中間部に配置された電源部から見て、各部品配置及びプリント基板のパターン配線がほぼ点対称となるように複数のインバータ部を電源部の周辺部に分割して配置することにより、プリント基板のパターン配線の引き廻しや複数のインバータ回路の相互干渉による放電ランプの点灯不具合を改善するものである。
【００２６】
図２において、照明装置の基本回路構成は第１実施例の図１と同じであるが、本実施例では、４本の放電ランプに対して４個のインバータ回路にて個別に高周波電力を供給する構成になっている。
【００２７】
上記構成において、本実施例では、図１の三回路インバータ部５８から１回路分のインバータ回路の各部品を取り除き、二回路インバータ部５９としているが、そのとき、各個別インバータ回路及びインバータ回路の各部品の配置は、電源部３を中心とするほぼ点対称な位置にプリント基板１上に配置されている。このように構成することにより、分割されたインバータ部５７と５９の各部品配置、及びプリント基板１のパターン配線が電源部３から見てほぼ等しくなるため、パターン配線の引き廻しや、複数のインバータ回路の相互干渉による各放電ランプの点灯不具合を改善でき、照明装置内部の各部品の温度上昇も照明装置内部のある一部分に熱が集中することなく、各インバータ回路の各部品がそれぞれほぼ同一の温度上昇となるため、各インバータ回路の寿命時間のばらつきが無くなり、且つ、プリント基板に実装される各部品の重量バランスも良くなる。
【００２８】
図３は本発明の第３実施例のユニット化した一回路インバータ部のプリント基板６０に実装される各部品の平面図を示しており、図４は本実施例のプリント基板６０の側面図を示し、図５は本実施例のプリント基板１の側面図を示している。また、図６は本実施例のプリント基板６０がプリント基板１に装着された状態の側面図を示し、図７は本実施例の全体構成の平面図を示している。本実施例は、インバータ部のみをユニット化し、インバータ部の入力端及び出力端に設けられた接続手段にて電源部が実装されたプリント基板からインバータ部が実装されたプリント基板ユニットを着脱可能とすることにより、プリント基板のパターン引き廻しや、複数のインバータ回路の相互干渉による放電ランプの点灯不具合を改善し、且つ、容易に照明装置の放電ランプ灯数の変更を可能とするものである。
【００２９】
図３及び図４において、インバータ回路の構成は第１実施例と同じであるが、インバータ回路の一回路分の各部品をプリント基板６０に実装し、インバータ回路の入力端及び出力端はそれぞれ凸状接続手段６１及び６２に接続され、プリント基板６０の両端にそれぞれ設けられている。図５において、プリント基板１には、電源部３と、各放電ランプを接続するための各速結端子部（図示せず）と、接続手段６１及び６２を接続するための凹状接続手段６３及び６４が実装されており、凹状接続手段６３は電源部３に、凹状接続手段６４は速結端子部にそれぞれプリント基板１のパターン配線で結ばれている。
【００３０】
上記構成において、プリント基板６０の凸状接続手段６１及び６２と、プリント基板１の凹状接続手段６３及び６４が接続されると、図６のようになり、インバータ回路には電源部３から直流電圧が供給され、インバータ回路からの高周波電力は各放電ランプへ供給される構成となる。第１実施例の図１と同様の構成を本実施例を用いて表すと図７に示すようになり、図７を例えば第２実施例の図２と同様の構成にするには、（右下の）プリント基板６０をプリント基板１から１つ取り外すだけで良い。このように、インバータ回路が実装されたプリント基板６０を着脱可能とすることにより、照明装置の放電ランプの灯数の変更を容易に行うことができる。
【００３１】
図８は本発明の第４実施例であり、照明装置１８にリモコン受信ブロック６５を配置したときの斜視図を示している。また、図９は本実施例の照明装置１８を照明器具７３に取り付けたときの側面図である。本実施例では、リモコン受信ブロック６５を照明装置１８の上方に配置することにより、リモコン受信ブロック６５を備えた照明装置の小型化およびリモコンから送信されてくる照明制御信号の受信感度を向上させるものである。
【００３２】
図８において、照明装置１８はケースカバーにて全体を覆われており、端子台７２の内部に収められた各速結端子に接続された各ランプ線を介して各放電ランプに高周波電力を供給する構成になっている。リモコン受信ブロック６５には、リモートコントローラ（以下リモコンと略す）から赤外線等の無線媒体で送信されてくる照明制御信号を受信するリモコン信号受信部６６と、リモコン信号受信部に入力される照明制御信号に基づいて複数のインバータ部を制御し、各放電ランプの点灯、消灯および調光点灯を行うリモコン制御部（図示せず）と、複数の照明装置を個別にリモコン操作するために設けられたチャンネルスイッチ部６７と、照明装置１８に設けられた豆球の調光を行うための豆球調光スイッチ部６８と、前記リモコン制御部に誤動作等の不具合が生じたときに照明装置を初期設定状態に戻すためのリセットスイッチ部６９と、リモコン操作をしなくても放電ランプの点灯、消灯を行うための補助スイッチ部７０と、照明制御信号を受信すると発するアンサーバック音の有無を操作するためのブザースイッチ部７１とが設けてあり、リモコン受信ブロック６５は照明装置１８のケースカバーの上方に配置される。
【００３３】
図９は、天上面に取り付けられた照明器具７３に対して、前記リモコン受信ブロック６５を配置した照明装置１８を取り付けた状態を示している。リモコン受信ブロック６５に設けられたリモコン信号受信部６６は、ソケット部４２及び４６に取り付けられた放電ランプ２２及び２１よりも距離ｄ２ほど照明器具７３のセードカバー面７４に近い距離に位置しており、また、リモコン信号受信部６６とセードカバー面７４の距離ｄ１も近くなるため、リモコン７５から赤外線で送信されてくる照明制御信号７６を、放電ランプ２２及び２１から発生する赤外線による受光感度の低下を起こすことなく、確実に受信できるようになり、且つ、リモコン受信ブロック６５は照明装置１８の上方に配置するため、リモコン受信ブロック６５の形状は、上記の照明制御信号７６を受信しやすい位置に小さな形状にて配置することができる。
【００３４】
図１０は本発明の第５実施例についての照明装置の側面図を示し、図１１は本実施例の照明装置を照明器具に配置した状態の平面図を示している。本実施例はリモコン受信ブロックを照明装置の電源部上方に配置することにより、リモコン受信ブロックを備えた照明装置の小型化及びリモコンから送信されてくる照明制御信号の受信感度を向上させるものである。
【００３５】
図１０において、照明装置１８のプリント基板１に実装された各部品の配置及び回路構成は第１実施例と同じある。照明装置１８の略中間部に電源部が配置されており、電源部は豆球口金８１、電解コンデンサ８２、８３、整流素子８４、高調波対策チョーク８５、トランス８６、コネクタ部８０などで構成されている。電源部の周辺部には、インバータ部が配置されており、インバータ部は制御部９、スイッチング素子８、共振コンデンサ７、発振チョーク５、共振チョーク６、放熱板８７などで構成されている。照明装置の両端にはインバータ部と放電ランプを接続するための各速結端子が収められた端子台７２が設けてある。リモコン受信ブロック６５は、プリント基板７７に実装されたリモコン信号受信部６６、リモコン制御部７８、コネクタ部８８及び各種スイッチ部で構成されている。
【００３６】
リモコン受信ブロック６５を起動させるための電力は、電源部に設けられたコネクタ部８０とリモコン受信ブロック６５に設けられたコネクタ部８８とに接続されたテープ電線７９によって電源部からリモコン受信ブロック６５へ供給される。また、リモコンから送信されてくる照明制御信号は前記テープ電線７９によって照明装置１８の各インバータ部に伝達される。ここで、リモコン受信ブロック６５は照明装置１８の電源部上方に配置されているため、テープ電線７９の長さを極力短くできるので、インバータ部からのノイズがテープ電線７９に流れる各信号に重畳することなく、安定した電力をリモコン受信ブロック６５に供給することができ、また、複数のインバータ部に伝達する照明制御信号も安定したものとなる。
【００３７】
また、インバータ部からのノイズによるリモコン受信ブロック６５の誤動作等の不具合の発生を考慮すると、照明装置の上方にリモコン受信ブロックを配置する場合、ノイズ発生レベルの低い電源部の上方にリモコン受信ブロックを配置することにより、インバータ部からのノイズに影響されることなく、リモコンから送信されてくる照明制御信号の受信感度を向上できる照明装置を提供することができる。
【００３８】
また、図１１において、照明器具７３に照明装置１８を取り付けたとき、リモコン受信ブロック６５は放電ランプのフィラメント部から最も離れた所に位置する構成となる。放電ランプから照射される赤外線はフィラメント近傍から最も発生しているため、リモコンから赤外線として送信されてくる照明制御信号を受信するリモコン受信部７１を備えたリモコン受信ブロック６５は、放電ランプのフィラメント部から最も離れた位置、つまり、照明装置１８の略中間部の上方に配置するのが良い。
【００３９】
このように、照明装置の略中間部に配置した電源部の上方にリモコン受信ブロックを配置することにより、照明装置のインバータ部からのノイズ、及び放電ランプからの赤外線に影響されず、確実にリモコンによる照明器具を制御できる照明装置を提供することができる。
【００４０】
図１２は本発明の第６実施例のリモコン受信ブロックの斜視図を示している。本実施例は第４又は第５実施例のリモコン受信ブロックの照明器具セード側に対向する面を曲面としたことにより、照明器具セードに現れるリモコン受信ブロックの影を目立たなくしたものである。
【００４１】
図１２において、リモコン受信ブロック６５の構成は前記第４実施例と同じであるが、図９に示した第４実施例のリモコン受信ブロック６５のように、セード７４に対向する面が平面である形状では、放電ランプ２１、２２から照射される光が均一に反射されにくいため、セード７４にリモコン受信ブロック６５の部分が影となって現れてしまう。そこで、本実施例では、リモコン受信ブロック６５の照明器具セード側に対向する面８９を曲面とした。こうすることにより、放電ランプから照射される光をリモコン受信ブロック６５の曲面部８９にてほぼ均一に反射するようになるので、照明器具セード７４にリモコン受信ブロック６５の影が現れなくなる。
【００４２】
図１３は本発明の第７実施例の照明装置の分解斜視図を示しており、図１４は金属ケース９３にリモコン受信ブロック６５を配置したときの図１３のＡ−Ａ’線に沿う断面図を簡略化して示している。本実施例は第６実施例のリモコン受信ブロックにおいて、照明装置の上方にリモコン受信ブロックを配置するための脚部を設けたものである。
【００４３】
図１３において、照明装置のプリント基板１は絶縁シート９４と共に金属ケース９３に収納されている。リモコン受信ブロック６５には取付穴部９１を設けた脚部９０が４本設けられており、金属ケース９３には前記リモコン受信ブロック６５の脚部９０に設けた取付穴部９１と接続するための凸部９２が４箇所設けてある。
【００４４】
図１４において、リモコン受信ブロック６５は脚部９０に設けられた取付穴部９１と金属ケース９３に設けられた凸部９２が接続されることにより、リモコン受信ブロック６５は脚部９１によって、ある一定の高さに固定して配置することが可能となり、また、リモコン受信ブロックを大きくすることもなく、配置する高さを確保することができる。
【００４５】
図１５は本発明の第８実施例の照明装置の分解斜視図を示しており、図１６は図１５の分解された照明装置を組み立てたときの図１５のＢ−Ｂ’線に沿う断面図を簡略化して示している。また、図１７は図１６の照明装置の側面図を示している。本実施例は、第７実施例のリモコン受信ブロックを照明装置のケースカバーで押さえ付けるように固定したものである。
【００４６】
図１５において、本実施例の照明装置は、金属ケース９３に、絶縁シート９４、プリント基板１を収納し、脚部９０を設けたリモコン受信ブロック６５を金属ケース９３に第７実施例で述べた方法にて配置し、その上からリモコン受信ブロック６５が入り込む穴の開いたケースカバー９５を取り付ける構成になっている。図１６において、リモコン受信ブロック６５に設けられた脚部９０は、ケースカバー９５に押さえられるような構成となり、図１７において、ケースカバー９５に設けられた固定用ピン９６によってケースカバー９５は金属ケース９３に固定されるため、同時にケースカバー９５に押さえられているリモコン受信ブロック６５も固定される。
【００４７】
このように、リモコン受信ブロック６５をケースカバー９５にて固定することにより、リモコン受信ブロックを固定する際、ネジ止め等の取り付け手段を用いることなく、簡単な構成にてリモコン受信ブロック６５を固定することができる。
【００４８】
図１８は本発明の第９実施例のリモコン受信ブロックの斜視図を示している。本実施例は、第７実施例のリモコン受信ブロックを金属カバーで覆うことにより、外来輻射ノイズによる誤動作及び静電破壊を防止したものである。
【００４９】
図１８において、リモコン受信ブロック６５の構成は第７実施例と同じであるが、リモコン受信ブロック６５を金属にて覆うための金属カバー９７と、金属カバー９７を固定するための穴部９８と、凸部９９を設けている。リモコン受信ブロック６５の外形ケースは、その複雑な形状により合成樹脂にて形成されているが、金属カバー９７にて覆うことにより、リモコン受信ブロック６５のケース表面に帯電される静電気がアースされ、また、人体に帯電した静電気も金属カバー９７にアースされるため、リモコン受信ブロック６５に設けられた各種スイッチ類を操作する際に起こり得る照明装置の静電破壊を防止でき、且つリモコン受信ブロック６５は金属カバー９７にてシールドされるため、外来の輻射ノイズに対してノイズ耐量が向上し、照明装置の誤動作等を防止することができる。また、金属カバーで覆うことにより、光の反射が良くなり、第６実施例で述べた効果をさらに向上させることもできる。
【００５０】
図１９は本発明の第１０実施例の照明装置の分解斜視図を示しており、図２０は図１９の分解された照明装置を組み立てたときの図１９のＣ−Ｃ’線に沿う断面図を簡略化したものを示している。本実施例は、第８及び第９実施例の構成を用いて、リモコン受信ブロックを覆う金属カバーを照明装置のケースカバーで押さえ付けるように固定することにより、金属カバーは照明装置のケースカバーにアースされるため、リモコン受信ブロックの各種スイッチ類を操作する際に起こり得る静電破壊を防止することができる。
【００５１】
図１９において、金属カバー９７を除いた他の構成は第８実施例と同じであり、金属カバー９７は第９実施例と同様に、リモコン受信ブロック６５に取り付けられるような構成になっているが、本実施例では、金属カバー９７にケースカバー９５が接触するように金属片１００が設けてある。なお、本実施例におけるケースカバー９５は少なくとも金属にて生成されたものである。
【００５２】
図２０において、金属カバー９７は金属片１００がケースカバー９５に押さえ付けられることにより、リモコン受信ブロック６５と共に固定され、同時に金属ケース９７はケースカバー９５に接触することにより、リモコン受信ブロック６５のケース表面に帯電される静電気がアースされ、また、人体に帯電した静電気も金属カバー９７にアースされるため、リモコン受信ブロック６５に設けられた各種スイッチ類を操作する際に起こり得る照明装置の静電破壊を防止できる。
【００５３】
図２１は本発明の第１１実施例の照明装置の分解斜視図を示したものである。本実施例は、照明装置のケースカバーにてリモコン受信ブロックに設けられた各操作スイッチ部を覆うことにより、前記操作スイッチ部の静電破壊を防止するものである。
【００５４】
図２１において、基本構成は第１０実施例と同じであるが、ケースカバー９５にリモコン受信ブロック６５の操作スイッチ部１０２を覆うための金属カバー片１０１が設けてある。図２１の照明装置を組み立てると、リモコン受信ブロック６５の操作スイッチ部１０２は金属カバー片１０１で覆われる構成になるため、第１０実施例と同様の効果により、前記操作スイッチ部１０２を操作する際に起こり得る照明装置の静電破壊を防止できる。
【００５５】
図２２は本発明の第１２実施例の照明装置の平面図を示したものである。本実施例は、リモコン受信ブロックに備えられたリモコン信号受信部を照明装置の電源部に備えられた豆球から極力離れたリモコン受信ブロック上に配置したことにより、豆球点灯時に豆球から照射される赤外線によるリモコンからの照明制御信号の受信不具合を改善するものである。
【００５６】
図２２において、豆球１０３は照明装置の電源部に配置された豆球用受口金に装着されると、豆球１０３の先端部は保護ケースカバー９５から露出する構成となる。リモコン受信ブロック６５に備えられたリモコン信号受信部６６は、豆球１０３から極力離れた位置に配置してあるため、豆球点灯時に豆球１０３から照射される赤外線をリモコン信号受信部６６は受けにくくなるので、豆球点灯時のリモコンからの照明制御信号の受信感度を向上できる。
【００５７】
図２３は本発明の第１３実施例の回路構成のブロック回路図を示したものである。本実施例は、電源部に備えられた過電流保護素子より低い電流値で動作する過電流保護素子を、照明装置に備えられた豆球点灯回路に設けたことにより、豆球短絡時における照明装置の電源部に設けられた過電流保護素子の動作による放電ランプが不点灯となることを防止するものである。
【００５８】
図２３において、電源部２０１には、例えばヒューズのような過電流保護素子Ｆ１が、豆球点灯回路部２０２には過電流保護素子Ｆ１よりも低い電流値にて動作する過電流保護素子Ｆ２が備えられており、過電流保護素子Ｆ１は交流電源Ｖが電源部２０１に供給される直後の箇所に配置され、過電流保護素子Ｆ２は豆球点灯回路部２０２に配置されている。電源部２０１および豆球点灯回路部２０２には他に高調波対策チョークＣＦ１、ＣＦ２、ＣＦ３、整流回路Ｄ1 、平滑用コンデンＣ1 、整流素子Ｄ2 、Ｄ3 、Ｄ4 、スイッチ素子Ｑ1 などが備えられており、制御部にて、インバータ部及び豆球点灯回路部２０２の動作を制御することにより、放電ランプ及び豆球の点灯、消灯を行う構成になっている。
【００５９】
ここで、豆球用受口金２０３に豆球不良や豆球の寿命末期時等の何らかの原因で短絡状態となった豆球を装着した状態にて、制御部からの信号によりスイッチ素子Ｑ1 がオンしたとき、豆球点灯回路部２０２には、過電流が流れるが、過電流保護素子Ｆ２の動作により豆球点灯回路部２０２の電流路は遮断され、豆球点灯回路部２０２及び電源部２０１には電流が流れなくなる。しかし、過電流保護素子Ｆ１は動作していないため、以後、豆球は点灯できないが、放電ランプは点灯を維持することができる。このように、豆球短絡時においても放電ランプは点灯を維持することができる照明装置を提供することができる。
【００６０】
なお、複数のインバータ回路のすべてに、前記電源部に備えられた過電流保護素子よりも低い電流値で動作する過電流保護素子を設けることにより、１つのインバータ回路の故障により過電流が流れたとしても、故障したインバータ回路に備えられた過電流保護素子が動作するため、故障したインバータ回路には電流は流れないが、他のインバータ回路は、問題なく動作することができる。
【００６１】
図２４は本発明の第１４実施例について、豆球を豆球用受口金に装着したときの平面図を示しており、図２５は図２４の側面図を示している。また、図２６は豆球を斜めに挿入したときの側面図を示したものである。本実施例は、豆球用受口金の周囲部に豆球用受口金より背の高い絶縁部品を配置することにより、豆球の照明装置ケース内への入り込みを防止するものである。
【００６２】
図２４において、豆球用受口金８１の周辺部に、少なくとも豆球１０３の直径ｄ３よりも間隔が狭くなるようなｄ４という距離を空けて豆球用受口金８１よりも背の高い絶縁部品１０４を配置した構成になっている。なお、絶縁部品１０４とは、絶縁されたケースに収納されているチョークコイルやトランス等の部品のようなものである。
【００６３】
図２５において、豆球用受口金８１の周囲部に絶縁部品１０４が配置された構成となっているが、絶縁部品の高さはケースカバーに近ければ近いほど良い。図２６において、豆球１０３を斜め方向に挿入した場合、豆球１０３の直径ｄ３は絶縁部品の配置間隔ｄ４より大きいため、豆球１０３は図２６のような位置までしか照明装置内に入り込まない。このように豆球の照明装置ケース内への入り込みを防止できる照明装置を提供することができる。
【００６４】
図２７は本発明の第１５実施例の照明器具の平面図を示したものである。本実施例は、交流電源を照明装置の電源部に接続するための電源入力端子部を照明装置の略中間部に配置することにより、照明器具内での電源線の引き延ばしによるノイズを低減することができ、且つ、照明器具のコスト低下が図れるものである。
【００６５】
図２７において、照明装置１８が取り付けられた照明器具７３は、その照明器具７３の中央部に設けられた穴部１０５より電源プラグ１９が交流電源と接続され、電源プラグ１９に設けられた電源線１０６は、照明装置１８の中間部に配置された電源入力端子部２０と接続されることにより照明装置１８に交流電源を供給する構成になっている。
【００６６】
このように、電源入力端子部２０を照明装置の略中間部に配置することにより、照明器具７３の電源線１０６を極力短く構成できるので、電源線１０６の照明器具７３上での引き延ばしによる雑音ノイズを低減することができ、且つ、電源線１０６を短くすることにより照明器具７３のコスト低下を図ることができる。
【００６７】
【発明の効果】
請求項１の発明は、複数の放電ランプへ高周波電力を供給する複数のインバータ部と、各インバータ部の入力端に接続され交流電源から直流電圧を作成し出力する電源部と、リモートコントローラから赤外線等の無線媒体で送信されてくる照明制御信号を受信するリモコン信号受信部及び受信した照明制御信号に応じて前記インバータ部を制御するリモコン制御部を備えるリモコン受信ブロックとを有する照明装置において、複数のインバータ部と電源部を収納したケースカバーの略中間部に電源部を配置し、複数のインバータ部を電源部の周辺部に分割して配置し、前記リモコン受信ブロックを前記ケースカバーの上方で且つ前記ケースカバーの略中間部に配置された前記電源部の上方に配置したものであるから、プリント基板のパターン配線の引き廻しや複数のインバータ回路の相互干渉による各放電ランプの点灯始動時間のばらつき、インバータ回路の誤動作により放電ランプがちらつく等の点灯が不安定となる問題の改善を図ることができ、且つ、リモコン受信ブロックを備えた照明装置の小型化及びリモコン制御信号の受信感度の向上を図ることができるという効果がある。
【００６８】
請求項２の発明は、インバータ部のみをユニット化し、インバータ部の入力端及び出力端に設けた接続手段にて電源部が実装されたプリント基板からインバータ部が実装されたプリント基板ユニットを着脱可能としたものであるから、容易に照明装置の放電ランプ灯数の変更を図ることができるという効果がある。
【００６９】
請求項３の発明は、前記リモコン受信ブロックの照明器具セード側に対向する面を曲面にしたものであるから、照明器具セードに現れるリモコン受信ブロックの影を目立たなくすることができるという効果がある。
【００７０】
請求項６の発明は、照明装置に備えられた豆球点灯回路に、電源部に備えられた過電流保護素子より低い電流値で動作する過電流保護素子を設けたものであるから、豆球短絡時における照明装置の電源部に備えられた過電流保護素子の動作による放電ランプが不点灯となることを防止することができるという効果がある。
【００７１】
請求項７の発明は、豆球用受口金の周囲部に豆球用受口金より背の高い絶縁部品を配置したものであるから、豆球の照明装置ケース内への入り込みを防止することができるという効果がある。
【図面の簡単な説明】
【図１】本発明の第１実施例の照明装置のプリント基板に実装される各部品の配置を示す平面図である。
【図２】本発明の第２実施例の照明装置のプリント基板に実装される各部品の配置を示す平面図である。
【図３】本発明の第３実施例のユニット化した一回路インバータ部のプリント基板に実装される各部品の平面図である。
【図４】本発明の第３実施例のインバータ回路を実装されたプリント基板の側面図である。
【図５】本発明の第３実施例の電源回路を実装されたプリント基板の側面図である。
【図６】本発明の第３実施例のプリント基板が結合された状態を示す側面図である。
【図７】本発明の第３実施例の全体構成を示す平面図である。
【図８】本発明の第４実施例の照明装置にリモコン受信ブロックを配置した状態を示す斜視図である。
【図９】本発明の第４実施例の照明装置を照明器具に取り付けた状態を示す側面図である。
【図１０】本発明の第５実施例の照明装置の側面図である。
【図１１】本発明の第５実施例の照明装置を照明器具に配置した状態の平面図である。
【図１２】本発明の第６実施例のリモコン受信ブロックの斜視図である。
【図１３】本発明の第７実施例の照明装置の分解斜視図である。
【図１４】本発明の第７実施例の金属ケースにリモコン受信ブロックを配置したときの図１３のＡ−Ａ’線についての断面図である。
【図１５】本発明の第８実施例の照明装置の分解斜視図である。
【図１６】本発明の第８実施例の照明装置を組み立てたときの図１５のＢ−Ｂ’線についての断面図である。
【図１７】本発明の第８実施例の照明装置の側面図である。
【図１８】本発明の第９実施例のリモコン受信ブロックの斜視図である。
【図１９】本発明の第１０実施例の照明装置の分解斜視図である。
【図２０】本発明の第１０実施例の照明装置を組み立てたときの図１９のＣ−Ｃ’線についての断面図である。
【図２１】本発明の第１１実施例の照明装置の分解斜視図である。
【図２２】本発明の第１２実施例の照明装置の平面図である。
【図２３】本発明の第１３実施例の回路構成を示すブロック回路図である。
【図２４】本発明の第１４実施例の照明装置の豆球用受口金に豆球を装着したときの平面図である。
【図２５】本発明の第１４実施例の照明装置の豆球用受口金に豆球を装着したときの側面図である。
【図２６】本発明の第１４実施例の照明装置の豆球用受口金に豆球を斜めに挿入したときの側面図である。
【図２７】本発明の第１５実施例の照明器具の平面図である。
【図２８】従来の照明装置のプリント基板上の部品配置を示す平面図である。
【図２９】従来の照明装置を照明器具に備えたときの結線状態の略図である。
【符号の説明】
１    プリント基板
２    交流電源
３    電源部
５７    インバータ部
５８    インバータ部
【図１】
0003811968.tif 000002
【図２】
0003811968.tif 000003
【図３】
0003811968.tif 000004
【図４】
0003811968.tif 000005
【図５】
0003811968.tif 000006
【図６】
0003811968.tif 000007
【図７】
0003811968.tif 000008
【図８】
0003811968.tif 000009
【図９】
0003811968.tif 000010
【図１０】
0003811968.tif 000011
【図１１】
0003811968.tif 000012
【図１２】
0003811968.tif 000013
【図１３】
0003811968.tif 000014
【図１４】
0003811968.tif 000015
【図１５】
0003811968.tif 000016
【図１６】
0003811968.tif 000017
【図１７】
0003811968.tif 000018
【図１８】
0003811968.tif 000019
【図１９】
0003811968.tif 000020
【図２０】
0003811968.tif 000021
【図２１】
0003811968.tif 000022
【図２２】
0003811968.tif 000023
【図２３】
0003811968.tif 000024
【図２４】
0003811968.tif 000025
【図２５】
0003811968.tif 000026
【図２６】
0003811968.tif 000027
【図２７】
0003811968.tif 000028
【図２８】
0003811968.tif 000029
【図２９】
0003811968.tif 000030